(57)【要約】【課題】  間違って食しても人体に対して安全性の高い無線タグを提供する。【解決手段】  無線タグ１において、アンテナ２をグミにカーボンを混合してなる伝導性材料から、接着部３はでんぷんのりから、そして２枚の保護フィルム５ａ、５ｂはオブラートから夫々構成する。また、矩形箱型のチップ４には、各角部に丸みを持たせる構成とする。【選択図】  図１
2005092610.tif 000002
【特許請求の範囲】
【請求項１】
外部からの情報を記憶可能であると共に、この情報を外部へ送信可能に構成されたチップと、
前記チップに取り付けられ、前記情報の送信／受信用のアンテナとを有する無線タグにおいて、
この無線タグは、食しても人体に無害な材料により構成されていることを特徴とする無線タグ。
【請求項２】
アンテナは飲食可能な材料により構成されていることを特徴とする請求項１記載の無線タグ。
【請求項３】
アンテナは柔軟性のある伝導性材料により構成されていることを特徴とする請求項１記載の無線タグ。
【請求項４】
無線タグを構成する部材のうち人体では消化されない部材の角部には丸みを持たせていることを特徴とする請求項１ないし３いずれかに記載の無線タグ。
【発明の詳細な説明】
【技術分野】
【０００１】
本発明は、無線タグと無線タグリーダとの間で、商品に関する情報の送受信を行う構成においての無線タグに係り、特に生鮮食品等に貼付される無線タグに関する。
【背景技術】
【０００２】
上記構成における無線タグには、一般的に商品に関する情報が商品工場にて記憶される（書き込みされる）。この情報は、例えば商品の食品名、消費期限、栄養成分、忌避成分等があり、これらの情報が記憶された無線タグは、その後に商品、例えば生鮮食品の表面に、或いはこの生鮮食品におけるパッケージの表面に貼り付けられ、店頭に陳列される。そして、消費者はこれらの生鮮食品に関する情報を無線タグリーダによって取得し、この情報をもとに生鮮食品（各商品）の選択、購入を行うものである（例えば、特許文献１参照）。
【特許文献１】特開２００２−８３２５０号公報
【発明の開示】
【発明が解決しようとする課題】
【０００３】
上記のような無線タグの構成としては、ＰＥＴ（ポリエチレンテレフタレート）やポリプロピレン等の基板に銅箔やアルミ箔等でアンテナパターンを形成し、これらを樹脂製のフィルムで被服したものが一般的である。しかし、上記の通り無線タグは生鮮食品等の表面に貼り付けされる場合もあるため、時として消費者が、特に物品に対する安全性／危険性の認識が充分に発達していない乳幼児等が当該無線タグの存在に気づかずに口に入れてしまうことも考えられる。この場合、無線タグは前記のように樹脂や金属類が多く使用されているため、必ずしも人体に対する安全性が高いとは言い切れないものであった。
【０００４】
本発明は上記事情に鑑みてなされたものであり、その目的は、間違って食しても安全性の高い無線タグを提供することにある。
【課題を解決するための手段】
【０００５】
上記目的を達成するために本発明の無線タグは、外部からの情報を記憶可能であると共に、この情報を外部へ送信可能に構成されたチップと、前記チップに取り付けられ、前記情報の送信／受信用のアンテナとを有する無線タグにおいて、この無線タグは、食しても人体に無害な材料により構成されていることを特徴とする（請求項１の発明）。
この構成によれば、例えば乳幼児等が無線タグを間違って食しても当該無線タグは人体に無害な材料により構成されているので、人体に大きな害を与えず安全性が高い。
【０００６】
また、この場合、前記無線タグの一部であるアンテナは飲食可能な材料により構成するとよい（請求項２の発明）。
このように構成すれば、更に安全性が高いものとすることができる。
或いは、上記アンテナを柔軟性のある伝導性材料により構成するとよい（請求項３の発明）。
【０００７】
このように構成すれば、体内で引っ掛かったり、臓器を傷つけたりすることが防止できるので、人体に対する安全性を一層高くすることができる。
また、上記無線タグを構成する部材のうち人体では消化されない部材の角部には丸みを持たせると良い（請求項４の発明）。
上記構成の場合、消化されずに人体を通って排出される部材においては、鋭利な角部が存在しないように各角部に丸みを持たせているので、例えば腸等の長く曲がりくねった部分の多い臓器等を通る際においても臓器を傷つけたりせず、スムーズに排出されるようになる。
【発明の効果】
【０００８】
以上のように本発明の無線タグによれば、間違って食しても人体に大きな害を与えず、更に体内で引っ掛かったり、臓器を傷つけたりしないため、人体に対する安全性が高いという優れた効果を呈する。
【発明を実施するための最良の形態】
【０００９】
以下、本発明の第１の実施例を図１及び図２を参照して説明する。
本実施例における無線タグ１は、図１（ａ）に示すように、長尺な線状をなすと共に、矩形枠型のアンテナ２を有している。このアンテナ２は、情報の送信／受信用のものであり、導電性材料であって食しても害のないカーボンからなるものである。アンテナ２の一辺には接着部３を介して矩形箱型のチップ４が取り付けられている。このチップ４は外部からの情報を記憶可能なメモリや、この情報を外部へ送信可能な通信ＩＣを有して構成され、全体としてはシリコンからなるものである。また、この矩形箱型をなすチップ４の各角部には丸みを持たせた構成となっていると共に、表面は突起部や溝部等が存在しない、略平面で構成されている。
【００１０】
ところで、上記アンテナ２及びチップ４は、図１（ｂ）に示すように、これらアンテナ２及びチップ４を内包するように矩形状の２枚の保護フィルム５ａ、５ｂによって挟み込まれている。この保護フィルム５ａ、５ｂは、例えばオブラートから構成されている。なお、図１（ｂ）においては説明の都合上、保護フィルム５ａ、５ｂを互いが接着されていない状態で示している。アンテナ２及びチップ４は、図１（ａ）に示すとおり、保護フィル５ａ、５ｂの幅方向（図中、左右方向）に対して、前記アンテナ２の各辺が平行となるように配設されると共に、前記保護フィルム５ａ、５ｂの高さ方向（図中、上下方向）に対しても、図１（ｂ）に示すとおり、前記アンテナ２及びチップ４が平行となるように配設されている。
【００１１】
そして、互いの保護フィルム５ａ、５ｂが接着されアンテナ２及びチップ４が内包された状態は、図２に示すように、前記２枚の保護フィルム５ａ、５ｂのうち一方の保護フィルム５ａを他方の保護フィルム５ｂに貼り付けるような状態、つまり保護フィルム５ａは前記アンテナ２及びチップ４の形状に沿って湾曲した形状となるが、保護フィルム５ｂの形状は平面を保った状態となる。
【００１２】
このように保護フィルム５ａ、５ｂのうち一方の保護フィルム５ｂの形状を平面に保つ理由としては、保護フィルム５ｂには、無線タグ１を商品に貼り付けるための粘着シール６を接着するため、この保護フィルム５ｂが湾曲していると当該保護フィルム５ｂ及び粘着シール６における互いの接着部分が疎となることに起因して接着力が低下してしまい、これにより商品から無線タグ１が脱落してしまうというケースを防止するためである。なお、前記２枚の保護フィルム５ａ、５ｂとの互いの接着、及び保護フィルム５ｂと粘着シール６との接着、そして粘着シール６と商品との接着は、全て上記したでんぷんのりによってなされるものである。
【００１３】
さて、食品工場において上記のように構成された無線タグ１は、前記粘着シール６により、例えばスイカ等の表面に貼り付けされる。そして、食品工場からの出荷の際に無線タグ１のチップ４には、外部からの情報として、例えば前記スイカの生産地、生産者、収穫日、消費期限、安全性、保存方法等の情報が記憶された（書き込みされた）後に、梱包を行い出荷される。なお、前記チップ４がこれらの情報を受信する際には当該チップ４に取り付けられた送信／受信用のアンテナ２が媒体となるものである。
【００１４】
食品工場から出荷されたスイカは、問屋や市場等の流通経路を介して店頭に陳列され、消費者のもとに至る。消費者はこれらのスイカを選択して購入するための参考として、無線タグリーダによって、このスイカに関する情報を当該スイカに貼り付けされている無線タグ１から取得する。無線タグリーダは、図示しないが、表示部やスピーカ、受信アンテナ等を備えた一般的なものであり、無線タグ１からのスイカに関する情報の取得は、例えば前記無線タグリーダを無線タグ１にかざすことにより行う。この場合、無線タグ１のチップ４からは当該チップ４に取り付けられたアンテナ２を媒体として、前記スイカに関する情報が外部へ、つまり無線タグリーダへ送信される構成となっている。
【００１５】
このように、無線タグリーダは受信アンテナを媒体として無線タグ１からスイカに関する情報を取得し、この取得された情報は、例えば前記無線タグリーダの表示部に文字にて表示されたり、或いは無線タグリーダのスピーカからの音声にて流されたりして消費者に認知される。消費者は、このように店頭に陳列された様々な商品に関する情報を取得し、これらの情報を参考にして夫々の商品における選択や購入を行い、例えば自宅にて加工、調理等をしてから食したり、使用するものである。
【００１６】
しかしながら、自宅等においては、例えば前記スイカ等に貼り付けられた無線タグ１が、当該スイカを切り分けた際に脱落してしまい、乳幼児などが誤って食してしまうことも起こり得る。また、無線タグ１を貼り付ける食品によって、例えばりんごやフランスパン等では当該無線タグ１の存在に気付かないままに食してしまうことも考えられる。
ところが、本実施例の無線タグ１においてその材料は、アンテナ２はカーボンからなり、接着部３はでんぷんのりであり、更に２枚の保護フィルム５ａ、５ｂは夫々がオブラートで形成されており、夫々の部材が食しても人体に無害な材料により構成されているので、仮に幼児等が間違っても食しても人体に対する安全性が高いものとなっている。
【００１７】
また、無線タグ１を構成するチップ４は矩形箱型のシリコンながら、各角部に丸みを持たせた形状とした。このため、体内から排出される過程において臓器を傷つけたりすることがなく、人体に対する安全性を一層高めることができる。
また、アンテナ２等を内包する２枚の保護フィルム５ａ、５ｂのうち、一方の保護フィルム５ｂを平面を保つ形状とした。このため、保護フィルム５ｂに対して粘着シール６を確実に接着でき、粘着シール６も湾曲せずに平面を保つ形状となることができるので、無線タグ１を商品に対して確実に接着できるようになり当該無線タグ１が商品から脱落することを防止できる。
【００１８】
次に、本発明の第２の実施例を図３及び図４を参照して説明する。なお、上記第１の実施例と同一の部分には同一の符号を付し、その詳しい説明を省略する。本実施例は無線タグを構成するアンテナの形状、及びアンテナとの配置位置に特徴を有している。
本実施例における無線タグ１のアンテナ７は、図２（ａ）及び（ｂ）に示すように矩形塊状をなしている。このアンテナ７は、グミからなるもので誘電性アンテナを構成している。グミは、例えば水、水飴、凝固を助けるクエン酸等の酸、型に注入する際に急激な固化を防止するためのクエン酸ナトリウム、酢酸ナトリウム等の緩衝液、そしてこれら水を含めた原料の総重量における３〜１９重量％程度のゼラチンを凝固材として混合してなる一般的な伝導性材料であり、柔軟性を有するものである。また、前記接着部３は、例えば米や麦から抽出されるでんぷんのりにより構成されている。
【００１９】
ところで、前記アンテナ７は接着部３によってチップ４に取り付けられており、その大きさは、縦、横、高さの夫々において当該チップ４より一回り大きいだけのものである。
これにより、アンテナ７の配置位置をチップ４に対して近接させることができると共に、アンテナ７自体の大きさが小さいので、これらを内包する２枚の保護フィルム５ａ、５ｂも小さくすることが可能となり、結果的に無線タグ１全体を小さくすることができる。このため、無線タグ１を小さな商品に個々に貼り付けなければならない場合、例えば商品がライター等であっても、当該無線タグ１をしっかりと貼り付けることができるので、無線タグ１が脱落することがなく商品に関する情報を消費者に対して確実に提供することができる。なお、上記誘電性アンテナであるアンテナ７は、例えば寒天やゼリー等といったものから構成してもよい。
【００２０】
ところで、上記第１、及び第２の実施例においては、無線タグ１を生鮮商品としてのスイカに貼り付けるような構成にしたが、これに限定されるものではなく、例えば加工食品等のパッケージや家電製品、或いは本や服等、当該無線タグ１を貼り付ける商品、いわゆる対象物は要旨を逸脱しない範囲で適宜変更、応用が可能である。
また、アンテナ２は、グミにカーボンを混合するような構成としてもよい。
【００２１】
また、アンテナ２を矩形枠型、及び保護フィルム５ａ、５ｂを矩形状としたが、これに限定されるものではなく、例えば夫々が円形であったりしてもよく、チップ４においても鋭利な角部を有しなければ、その形状を特に限定するものではない。
また、アンテナ２、７は、例えば糸のように非常に細くすることにより柔軟性を付与するようにしてもよく、特にこの場合、体内で当該アンテナ２、７が引っ掛かったりすること一層防止できるものである。
【図面の簡単な説明】
【００２２】
【図１】本発明の第１の実施例を示すもので、（ａ）は平面図、（ｂ）は側面図
【図２】無線タグの斜視図
【図３】本発明の第２の実施例を示すもので、図１相当図
【図４】図２相当図
【符号の説明】
【００２３】
図中、１は無線タグ、２はアンテナ、４はチップ、７はアンテナである。
【図１】
2005092610.tif 000003
【図２】
2005092610.tif 000004
【図３】
2005092610.tif 000005
【図４】
2005092610.tif 000006